(57)【要約】【課題】  従来の壁面構造は、内壁の外側に結露が発生し易く、その周囲の土台や柱が腐食して建物の耐久性が低下するといった問題等がある。【解決手段】  本件出願の建築構造は、建物の柱に内壁の端部を組み合わせて内壁を取付け、内壁の外側に、内壁との間に空間を設けることなく、外壁を取付けたものである。前記建築構造において、内壁が、複数本の角材又は板材を上下に又は横に配列したものとすることができる。また、前記建築構造において、外壁が、不燃材、難燃材、断熱材、防湿材、吸音材の一種又は二種以上を備えることができる。さらに、建物の基礎部分に加熱器を備えて蓄熱可能とした。【選択図】図１
2005290778.tif 000002
【特許請求の範囲】
【請求項１】
建物の柱に内壁の端部を組み合わせて内壁を取付け、内壁の外側に外壁を、内壁との間に空間を設けることなく取付けたことを特徴とする建築構造。
【請求項２】
請求項１記載の建築構造において、内壁が複数本の角材又は板材を上下に又は横に配列したものであることを特徴とする建築構造。
【請求項３】
請求項１又は請求項２の建築構造において、外壁が、不燃材、難燃材、断熱材、防湿材、吸音材の一種又は二種以上を備えることを特徴とする建築構造。
【請求項４】
請求項１乃至請求項３のいずれかに記載の建築構造において、建物の基礎部分に加熱器を備えて蓄熱可能としたことを特徴とする建築構造。
【発明の詳細な説明】
【技術分野】
【０００１】
本発明は、鉄骨住宅、木造住宅の住宅等、主として木造建物の建築構造に関するものである。
【背景技術】
【０００２】
従来、戸建住宅等の建物の壁面構造は、図５に示すように、内壁Ａと外壁Ｂとの間に間柱Ｃがあり、内壁Ａと外壁Ｂとの間に内部空間Ｄがある構造となっていた。また、近年の住宅等の建物は、冷暖房効率を高めて省エネルギー化を実現するために、室内構造が高気密化、高断熱化されている。
【発明の開示】
【発明が解決しようとする課題】
【０００３】
しかし、前記図５に示す従来の壁面構造には、壁の外側の温度（外気温）と内側の温度（室内温度）との差が８℃以上あると、内部空間Ｄ内の空気が冷やされて内壁Ａの外側に結露が発生し易くなり、年月の経過により内壁Ａの周囲の土台や、柱Ｅや、間柱Ｃ等が腐食して建物の耐久性が低下するとか、水分が内壁Ａの内面に染み出てその内面が汚れると同時に腐食するという課題がある。また、従来の壁面構造は、内部空間Ｄがあるため、強度や耐久性が十分ではないという課題もある。建物の壁は熱さ、寒さ、湿度、騒音等を遮断する役割も期待されている。
【課題を解決するための手段】
【０００４】
本発明は、上記課題を解決し、結露の発生を防ぐことができ、建物の強度や耐久性を高め、防熱、防寒、防湿、防騒音効果の優れた建築構造を提供するものである。
【０００５】
本件出願の建築構造は、建物の柱に内壁の端部を組み合わせて内壁を取付け、内壁の外側に外壁を、内壁との間に空間を設けることなく直に取付けてある。この建築構造の内壁は複数本の角材又は板材を上下に又は横に配列したものとすることができる。前記建築構造において、外壁を、不燃材、難燃材、断熱材、防湿材、吸音材の一種又は二種以上を備えるものとすることができる。建物の基礎部分に加熱器を設けて蓄熱可能とすることもできる。
【発明の効果】
【０００６】
本件出願の建築構造は以下のような効果がある。
（１）内壁の外側に外壁を、内壁との間に空間を設けることなく直に取付けたので、内壁と外壁との間に空気が入り込むことがなく、内壁の外側に結露が発生しにくくなる。このため、内壁の周囲の土台、柱、内壁が腐食して建物の耐久性が低下することもない。
（２）建物の柱に内壁の端部を組み合わせて内壁を取付けるので、内壁と柱の結合が強固になり、強度に優れた建物となる。
【０００７】
（３）内壁が複数本並べた２０ｍｍ角以上の肉厚の角材を上下に又は横に配列したものであるため、数ｍｍ〜１０ｍｍ程度の薄い板状の内壁に比して丈夫で強度が高く耐久性に優れ、肉厚であるため端部に突起を設けて柱へ組み付けることができ、柱との連結が容易且つ強固になる。また、結露防止の一助にもなる。このパネル状の部材は、壁材に限らず、床板、天井板等として用いることも可能である。
（４）また、内壁が複数本並べた２０ｍｍ以上の肉厚の板材を上下に又は横に配列したものであるため、数ｍｍ〜１０ｍｍ程度の薄い板状の内壁に比して丈夫で強度が高く耐久性に優れ、端部に突起を設けて柱へ組み付けることができ、柱との連結が容易且つ強固になる。また、結露防止の一助にもなる。このパネル状の部材は、壁材に限らず、床板、天井板等として用いることも可能である。
（５）内壁に角材又は板材を使用するため、間伐材や県産材の有効利用を図ることができる。
（６）内壁に連結具でパネル状に連結した角材又は板材を使用するため、間柱、筋交いが不要となるため、製作が容易であり、コストの低減も可能となる。
【０００８】
外壁が、不燃材、難燃材、断熱材、防湿材、吸音材の一種又は二種以上を備えているので、前記効果に加えて、以下のような効果もある。
（７）不燃材や難燃材を使用すれば、万一、建物の内部で火災が発生しても隣接する部屋や別の建物に延焼しにくい。また、隣接する別の建物で発生した火災の飛び火を受けても火災になることがない。
（８）断熱材を使用すれば、建物の断熱効果が高まり、省エネルギー化が図られる。
（９）防湿材を使用すれば、外部の湿気の浸入を防止できるため、結露の発生がより一層防止される。
（１０）吸音材を使用すれば、防音効果の高い建物となる。
（１１）断熱材を使用し、その外側に不燃材或は難燃材を積層すれば、断熱材と不燃材或は難燃材の双方の効果が得られる。
（１２）吸音材を使用し、その外側に不燃材或は難燃材を積層すれば、吸音材と不燃材或は難燃材の双方の効果が得られる。
【０００９】
建物の基礎部分に加熱器を備えて蓄熱可能としたので、前記効果に加えて、以下のような効果がある。
（１３）加熱器によって蓄えた熱によって、床暖房を実現することができる。この場合、電気料金の安い深夜料金の時間帯に蓄熱をしておけば経済的である。
【発明を実施するための最良の形態】
【００１０】
（実施形態１）
本発明の建築構造の一例を、図１〜図３に基づいて詳細に説明する。図示した建築構造は、図１、図２に示すように、木材製の土台１に所定間隔で立設された柱２の間に内壁３が配置され、内壁３との間に空間を設けることなく、内壁３の外面に直に外壁４を取付けた。図１に示す壁構造は真壁であるが、壁の種類はこれには限られず大壁であってもよい。
【００１１】
柱２は３寸角、４寸角といった各種寸法の角材であって、溝５が柱２の側面の外面に近い部分に柱の軸に沿って（長手方向に）形成されている。溝５の形状、寸法は任意に選択することができる。柱２は、杉や檜であることが望ましいが、その他任意の素材を用いることができる。本実施形態では、各柱２は、同じ太さに成形されたものを用いている。
【００１２】
前記内壁３には図３に示すような建築用パネル６が使用され、それが隣合う柱２の間に配置されている。建築用パネル６には芯を持った（芯持ちの）木の内壁材７を複数本、横或いは縦一列に並べて、連結具や接着剤等の任意の手段によって連結してある。内壁材７は図のように角材であることが望ましいが、板材など、他の形状とすることもできる。内壁材７は杉や檜であることが望ましいが、他の任意の木材を用いることができる。内壁材７の厚さは２０ｍｍ〜６０ｍｍ、幅は４５ｍｍ〜１５０ｍｍ、長さは９００ｍｍ〜１８００ｍｍの間とすることが望ましいが、任意のサイズとすることができる。一例として、内壁材７が角材の場合、４５ｍｍ角、長さ９００ｍｍの角材を用いることができる。また、内壁材７が板材の場合は、一例として、厚さ４５ｍｍ、幅１５０ｍｍ、長さ９００ｍｍの板材を用いることも可能である。
また、前記内壁材７に用いる角材や板材等は、人工乾燥又は自然乾燥等によって、含水率を２０％以下としたものを用いることが望ましい。これによって、内壁３の形成後に内壁材７が乾燥して、内壁３の捩れや歪みの発生を防ぐことができ、内壁３と外壁４との間に隙間ができなくなる。建築用パネル６の長手方向両端部は、一部が切り欠かれて突起部９が形成されており、その突起部９を前記柱２の溝５と組み合わせ可能としてある。建築用パネル６の側面には挿通孔１０が建築用パネル６を幅方向に貫通して開口されている。挿通孔１０は、一枚の建築用パネル６の長手方向両端寄り二箇所に開口されている。挿通孔１０の数及び開口位置は図に示すものに限られず、任意の数及び開口位置とすることができる。
【００１３】
多数本の内壁材７が連結された建築用パネル６同士は、例えば、図３に示すようにして連結されている。連結する建築用パネル６の挿通孔１０に連結ボルト１１を差し込んで、その連結ボルト１１の両端を建築用パネル６の挿通孔１０の両端（図３では上下）から突出させる。その各建築用パネル６の連結ボルト１１の突出端部同士を高ナット１２にねじ込んで、２本の連結ボルト１１同士を連結させることにより、各建築用パネル６を連結する。高ナット１２は連結する二枚の建築用パネル６の挿通孔１０に跨がせて埋め込んでおく。
【００１４】
建築用パネル６は数本の内壁材７を上下或いは横方向に並べて一枚にしておくのではなく、建物の設置箇所に数本の内壁材７を上下或いは横方向に並べ、それらを連結ボルト１１と高ナット１２を使用して連結することもできる。
【００１５】
内壁３となる建築用パネル６は、図１に示すように、その両端の突起部９を柱２の溝５に嵌め込んで、隣り合う柱２と柱２の間に配置される。この場合、図２に示すように、建築用パネル６の外面を柱２の外側面に揃えてある。また、建築用パネル６の下端は土台１に、上端は天井１３に連結固定されている。この場合の固定手段は任意に選択できるが、例えば、連結ボルト１１と高ナット１２を使用することができる。
【００１６】
外壁４は、図１、図２に示すように、内壁３の外面及び柱２の外側面との間に空間を設けることなく、内壁３の外面及び柱２の外側面に密着させて直に取り付けてある。外壁４は多層に構成されている。内壁３の外面及び柱２の外側面のすぐ外側に下地材１５を釘、ビス等によって取付け、下地材１５の外側に防湿シート１６を張り、防湿シート１６の外側に断熱材１７をビス止めし、その上にラス網１８を張り、ラス網１８の上に下塗り（ラス擦り）、セメントモルタル（コンクリートモルタル）１９を塗り、その上に、しっくい塗り又はリシン掻き落とし等により仕上げ面２０を形成してある。下地材１５にはベニヤ板等の構造合板を使用することができ、断熱材１７には押出ポリスチレン三種断熱材とか他の任意の断熱材を用いることができる。
【００１７】
本発明の建築構造は、図４に示すように、建物の基礎部分にヒーター等の加熱体を設けて蓄熱可能として、床を暖房することができるようにしてある。同図に示すように、基礎は上基礎２１と下基礎２２とに分かれて形成され、上基礎２１と下基礎２２との間に防湿シート２３が配置されている。上基礎２１と下基礎２２との間には防湿シート２３のみならず断熱材等をも配置することもできる。前記下基礎２２、上基礎２１は共にコンクリート製である。上基礎１は土台支持部２１ａが高く、その内側が一段低く形成されている。上基礎２１の内部には加熱器２４が配置されている。加熱器２４には電熱ヒーターが使用されている。上基礎２１の低く形成された部分には砂利や砂等の蓄熱材２５が敷き詰められている。上基礎２１の土台支持部２１ａには木材製の土台１が備えられている。砂利２５の上には板材２６が敷設され、板材２６の上には根太２７が配置されている。根太２７の上には床板２８が敷設されて床が形成されている。床板２８は前記内壁材７と同じ角材又は板材を並べたものとすることができる。ヒーターは通電すると発熱して上基礎２１を加温すると共に砂利等の蓄熱材２５をも加熱して蓄熱でき、床板２８を暖めることができる。前記加熱器２４にはヒーター以外の加熱器、例えば、蒸気や湯を通す管を配管することもできる。また、前記蓄熱材２５に用いる砂利のサイズは、任意のものとすることができる。前記板材２６は石製、木製等の任意のものとすることができる。
【００１８】
（その他の実施形態）
本発明における内壁は、実施例１の建築用パネル６を組み合わせる構成には限られず、多数本の内壁材７を縦にして横一列に並べ、それらを長い連結具で複数箇所連結して幅広の建築用パネルを形成し、そのパネルで土台から天井までの長い壁面パネルとすることもできる。本発明の内壁は他の任意の方法で形成することもできる。
【００１９】
本発明における外壁も、実施形態１に示す建材の組み合わせに限らず、不燃材、難燃材、断熱材、防湿材、吸音材の一種又は二種以上を任意に組み合わせたものとすることができる。
【産業上の利用可能性】
【００２０】
本発明の建築構造は、木造の戸建住宅に限らず、公共施設とか、他の建物にも応用することができる。
【図面の簡単な説明】
【００２１】
【図１】本発明の建築構造の実施形態の一例を示す平面断面図。
【図２】図１に示す建築構造を示す正面断面図。
【図３】図１に示す建築構造に用いる建築用パネルを示す説明斜視図。
【図４】本発明の建築構造の実施形態の一例を示す正面断面図。
【図５】従来の建築構造を示す平面断面図。
【符号の説明】
【００２２】
１  土台
２  柱
３  内壁
４  外壁
６  建築用パネル
７  内壁材
１１  パネル連結ボルト
１２  高ナット
１６  防湿シート
１７  断熱材
２１  基礎上部
２４  加熱器
２５  蓄熱材
【図１】
2005290778.tif 000003
【図２】
2005290778.tif 000004
【図３】
2005290778.tif 000005
【図４】
2005290778.tif 000006
【図５】
2005290778.tif 000007